(57)【要約】【課題】  データ放送の内容が更新されたことをユーザに通知する。【解決手段】  チューナ１０３で受信したデジタル放送信号から、ＴＳデコーダ１０４によって、ＢＭＬ形式で記述されたカルーセル方式のデータ放送信号を取得して、ブラウザによって表示部１０７で表示し、表示された情報の中から監視対象となる文字情報を選択して保存し、後に放送される放送信号のデータ放送中のＢＭＬを比較し、文字情報の内容が変更されていたら、データ放送の内容が更新されたと判断して、ユーザに報知する。【選択図】  図１１
2005192007.tif 000002
【特許請求の範囲】
【請求項１】
画面を構成する要素としての文字情報が特定の記述形式で記述されたデータとして、カルーセル方式によって伝送されるデータ放送を受信する受信手段と、
特定の画面を構成する要素としての文字情報を、前記記述形式に基づいて特定可能な形態で保存する保存手段と、
前記伝送されるデータ中の、前記保存された文字情報に対応する文字情報を前記記述形式に基づいて特定し、前記保存された文字情報と比較する比較手段と、
比較の結果、文字情報が異なる場合に、前記データが更新されたことを報知する制御手段と、
を具備したことを特徴とする放送受信装置。
【請求項２】
所定の記述形式で記述され文字情報を含むデータが、カルーセル方式によって伝送されるデータ放送を受信する受信手段と、
前記データに含まれる文字情報を、前記記述形式に基づいて特定可能な形態で保存する保存手段と、
前記保存された文字情報を、その後に伝送されるデータ中の当該文字情報と比較する比較手段と、
比較の結果、文字情報が異なる場合に、前記データが更新されたことを報知する制御手段と、
を具備したことを特徴とする放送受信装置。
【請求項３】
所定の記述形式で記述され異なる複数の文字情報を含むデータが、カルーセル方式によって伝送されるデータ放送を受信する受信手段と、
前記受信した、複数の文字情報を含むデータを表示する表示手段と、
前記表示された複数の文字情報の中から監視対象としたい文字情報を選択して、前記記述形式に基づいて特定可能な形態で保存する保存手段と、
前記保存された文字情報を、その後に伝送されるデータ中の当該文字情報と比較する比較手段と、
比較の結果、文字情報が異なる場合に、前記データが更新されたことを報知する制御手段と、
を具備したことを特徴とする放送受信装置。
【請求項４】
画面を構成する要素としての文字情報を含むデータが、カルーセル方式によって伝送されるデータ放送を受信する受信手段と、
前記データに含まれる特定の画面を構成する要素としての文字情報を、当該特定画面の要素として特定可能な形態で保存する保存手段と、
前記保存された文字情報を、前記伝送される特定画面の対応する文字情報と比較する比較手段と、
比較の結果、文字情報が異なる場合に、前記データが更新されたことを報知する制御手段と、
を具備したことを特徴とする放送受信装置。
【請求項５】
テレビジョン放送を視聴する手段を備え、前記データ放送が前記テレビジョン放送視聴手段で視聴中のテレビジョン放送と同一または異なるトランスポートストリームで多重伝送されものであることを特徴とする請求項１乃至４のいずれかに記載の放送受信装置。
【請求項６】
画面を構成する要素としての文字情報が特定の記述形式で記述されたデータとして、カルーセル方式によって伝送されるデータ放送を受信するステップと、
特定の画面を構成する要素としての文字情報を、前記記述形式に基づいて特定可能な形態で保存するステップと、
前記伝送されるデータ中の、前記保存された文字情報に対応する文字情報を前記記述形式に基づいて特定し、前記保存された文字情報と比較するステップと、
比較の結果、文字情報が異なる場合に、前記データが更新されたことを報知するステップと、
を具備したことを特徴とする放送受信方法。
【請求項７】
所定の記述形式で記述され文字情報を含むデータが、カルーセル方式によって伝送されるデータ放送を受信するステップと、
前記データに含まれる文字情報を、前記記述形式に基づいて特定可能な形態で保存するステップと、
前記保存された文字情報を、その後に伝送されるデータ中の当該文字情報と比較するステップと、
比較の結果、文字情報が異なる場合に、前記データが更新されたことを報知するステップと、
を具備したことを特徴とする放送受信方法。
【請求項８】
所定の記述形式で記述され異なる複数の文字情報を含むデータが、カルーセル方式によって伝送されるデータ放送を受信するステップと、
前記受信した、複数の文字情報を含むデータを表示するステップと、
前記表示された複数の文字情報の中から監視対象とする文字情報を選択し、前記記述形式に基づいて特定可能な形態で保存するステップと、
前記保存された文字情報を、その後に伝送されるデータ中の当該文字情報と比較するステップと、
比較の結果、文字情報が異なる場合に、前記データが更新されたことを報知するステップと、
を具備したことを特徴とする放送受信方法。
【請求項９】
画面を構成する要素としての文字情報を含むデータが、カルーセル方式によって伝送されるデータ放送を受信するステップと、
前記データに含まれる特定の画面を構成する要素としての文字情報を、当該特定画面の要素として特定可能な形態で保存するステップと、
前記保存された文字情報を、前記伝送される特定画面の対応する文字情報と比較するステップと、
比較の結果、文字情報が異なる場合に、前記データが更新されたことを報知するステップと、
を具備したことを特徴とする放送受信方法。
【発明の詳細な説明】
【技術分野】
【０００１】
本発明は、通常のテレビジョン番組の他にデータの放送も行なうデジタル放送を受信する放送受信装置及び放送受信方法に関し、特にテレビジョン番組を視聴中にデータ放送のコンテンツが更新されたことを視聴者に報知するようにした放送受信装置および放送受信方法に関する。
【背景技術】
【０００２】
デジタル放送では、従前と同様のテレビジョン番組を放送するテレビ放送とは別に、音声を主体に構成されるラジオ放送のような音声放送や、文字情報を主体としたデータ放送が配信されている。
【０００３】
データ放送は文字・図形・静止画・映像・音声などの表現メディアを組み合わせて構成されており、例えばテレビジョン番組を視聴中に視聴者がリモートコントローラを操作することで、画面の隅にデータ提示領域を確保し、提示された情報をリモコンで対話的に適宜選択して表示して、所望の情報を観覧することが可能である。あるいはまた、提示されているテレビジョン番組に代えて、データ放送を提示させることもできる。
【０００４】
データ放送で提供される情報としては、現在のところ、気象情報、ニュース、株、スポーツ等があり、コンテンツを構成するデータは、カルーセル伝送方式で常に送られているため、配信側でコンテンツを変化させることで、例えば常に最新の気象情報を提示したり、あるいはプロ野球等スポーツの試合経過をリアルタイムで視聴者に提供することが可能である。
【０００５】
テレビジョン放送とデータ放送の内容は必ずしも同じ情報に基づくものではない。ユーザがテレビジョン放送を視聴しているときに、野球の試合経過が気になった場合はデータ放送の表示画面を立ち上げて、試合の内容を確認することになる。この時、テレビジョン放送の映像は縮小されていたり、非表示になるため、テレビ放送の視聴を妨げることになる。当然データ放送の表示画面が立ち上がっていなければコンテンツが更新されたかどうかわからないため、ユーザが確認したいと思うたびにデータ放送画面を立ち上げてみて、確認しなくてはならなかった。
【０００６】
このように、従来、テレビジョン番組を視聴しつつデータ放送で提供される情報を取得しようとする場合には、都度データ放送画面を立ち上げてから確認するという方法しかなく、立ち上げてもコンテンツが更新されていなければ無駄な作業となり、またテレビジョン番組の視聴にも妨げとなっていたが、そのような課題を解決しようとする試みは、従来なされていなかった。
【０００７】
例えば、特許文献１には、視聴中の番組に文字列データが表示された際に、その文字列データで提示される情報を放送している番組を受信すべく切換えるようにした装置が開示されているが、この場合、文字列データはデータ放送で提示されるものではなく、上記課題を解決するものではない。
【特許文献１】特開２００２−１３５６６７号公報（第６，７頁、図２，３）
【発明の開示】
【発明が解決しようとする課題】
【０００８】
以上のように、従来、データ放送で提供される情報が更新されたということは、視聴者がデータ放送画面を立ち上げで、実際にその情報を表示させて確認するしかなく、操作性が著しく悪いものであった。
【０００９】
本発明は、以上の点に鑑みてなされたものであり、データ放送で提供されるコンテンツのうち、更新を監視したいコンテンツをユーザが予め指定してしておくことで、テレビジョン番組の視聴中であっても、そのコンテンツデータを常時監視し、更新された場合にそれを検出して、ユーザに通知することができるようにした放送受信装置及び放送受信方法を提供することを目的とする。
【課題を解決するための手段】
【００１０】
本発明の放送受信装置は、画面を構成する要素としての文字情報が特定の記述形式で記述されたデータとして、カルーセル方式によって伝送されるデータ放送を受信する受信手段と、特定の画面を構成する要素としての文字情報を、前記記述形式に基づいて特定可能な形態で保存する保存手段と、前記伝送されるデータ中の、前記保存された文字情報に対応する文字情報を前記記述形式に基づいて特定し、前記保存された文字情報と比較する比較手段と、比較の結果、文字情報が異なる場合に、前記データが更新されたことを報知する制御手段と、を具備したことを特徴とする。
【００１１】
また、本発明の放送受信装置は、所定の記述形式で記述され文字情報を含むデータが、カルーセル方式によって伝送されるデータ放送を受信する受信手段と、前記データに含まれる文字情報を、前記記述形式に基づいて特定可能な形態で保存する保存手段と、前記保存された文字情報を、その後に伝送されるデータ中の当該文字情報と比較する比較手段と、比較の結果、文字情報が異なる場合に、前記データが更新されたことを報知する制御手段と、を具備したことを特徴とする。
【００１２】
また、本発明の放送受信装置は、所定の記述形式で記述され異なる複数の文字情報を含むデータが、カルーセル方式によって伝送されるデータ放送を受信する受信手段と、前記受信した、複数の文字情報を含むデータを表示する表示手段と、前記表示された複数の文字情報の中から監視対象としたい文字情報を選択して、前記記述形式に基づいて特定可能な形態で保存する保存手段と、前記保存された文字情報を、その後に伝送されるデータ中の当該文字情報と比較する比較手段と、比較の結果、文字情報が異なる場合に、前記データが更新されたことを報知する制御手段と、を具備したことを特徴とする。
【００１３】
また、本発明の放送受信装置は、画面を構成する要素としての文字情報を含むデータが、カルーセル方式によって伝送されるデータ放送を受信する受信手段と、前記データに含まれる特定の画面を構成する要素としての文字情報を、当該特定画面の要素として特定可能な形態で保存する保存手段と、前記保存された文字情報を、前記伝送される特定画面の対応する文字情報と比較する比較手段と、比較の結果、文字情報が異なる場合に、前記データが更新されたことを報知する制御手段と、を具備したことを特徴とする。
【００１４】
さらに、本発明の放送受信方法は、画面を構成する要素としての文字情報が特定の記述形式で記述されたデータとして、カルーセル方式によって伝送されるデータ放送を受信するステップと、特定の画面を構成する要素としての文字情報を、前記記述形式に基づいて特定可能な形態で保存するステップと、前記伝送されるデータ中の、前記保存された文字情報に対応する文字情報を前記記述形式に基づいて特定し、前記保存された文字情報と比較するステップと、比較の結果、文字情報が異なる場合に、前記データが更新されたことを報知するステップと、を具備したことを特徴とする。
【００１５】
さらにまた、本発明の放送受信方法は、所定の記述形式で記述され文字情報を含むデータが、カルーセル方式によって伝送されるデータ放送を受信するステップと、前記データに含まれる文字情報を、前記記述形式に基づいて特定可能な形態で保存するステップと、前記保存された文字情報を、その後に伝送されるデータ中の当該文字情報と比較するステップと、比較の結果、文字情報が異なる場合に、前記データが更新されたことを報知するステップと、を具備したことを特徴とする。
【００１６】
さらに、本発明の放送受信方法は、所定の記述形式で記述され異なる複数の文字情報を含むデータが、カルーセル方式によって伝送されるデータ放送を受信するステップと、前記受信した、複数の文字情報を含むデータを表示するステップと、前記表示された複数の文字情報の中から監視対象とする文字情報を選択し、前記記述形式に基づいて特定可能な形態で保存するステップと、前記保存された文字情報を、その後に伝送されるデータ中の当該文字情報と比較するステップと、比較の結果、文字情報が異なる場合に、前記データが更新されたことを報知するステップと、を具備したことを特徴とする。
【００１７】
さらに、本発明の放送受信方法は、画面を構成する要素としての文字情報を含むデータが、カルーセル方式によって伝送されるデータ放送を受信するステップと、前記データに含まれる特定の画面を構成する要素としての文字情報を、当該特定画面の要素として特定可能な形態で保存するステップと、前記保存された文字情報を、前記伝送される特定画面の対応する文字情報と比較するステップと、比較の結果、文字情報が異なる場合に、前記データが更新されたことを報知するステップと、を具備したことを特徴とする。
【発明の効果】
【００１８】
本発明によれば、ユーザはテレビジョン番組を視聴中に、データ放送で提供されるコンテンツが更新されたことを知ることができるため、それからデータ放送を受信する状態にして情報を確認することができるため、テレビジョン番組視聴の妨げを最小限にして、データ放送で提供される最新の情報を取得することができるようになるものである。
【発明を実施するための最良の形態】
【００１９】
以下、図面を参照しながら本発明の放送受信装置の実施の形態を詳細に説明する。  
図１は、本発明の放送受信装置を搭載したテレビジョン受信器１００を示す回路ブロック図である。
【００２０】
図１において、アンテナ１０１でキャッチされた放送電波が放送信号としてアンテナ入力端子１０２を介してチューナ部１０３に導出される。
【００２１】
チューナ１０３部は、放送信号から所定のチャンネルを選択受信すると共に、受信した放送信号を復調し、かつ、誤り訂正等の処理を施しててＴＳ（Transport Stream）信号として導出する。
【００２２】
チューナ部１０３から出力される信号は、テレビジョン番組を構成する映像データ及び音声データと、データ放送番組を構成するデータ及びその他番組情報等の付加情報がパケット化されて、多重化されたものであり、ＴＳデコーダ１０４に供給される。
【００２３】
ＴＳデコーダ１０４では、パケット化されたデータを再構成して、データ種別毎に分離抽出して出力する。  
映像データは、ＴＳデコーダ１０４からビデオデコーダ１０５に供給されて、ここで例えばＭＰＥＧ（Moving Picture Experts Group）２の復号処理を行なって、非圧縮のデジタル映像信号に変換して出力する。ビデオデコーダ１０５の出力は、重畳部１０６を介して表示部１０７に導出されて表示される。
【００２４】
重畳部１０６は、ＯＳＤ信号生成部１０８で生成されるＯＳＤ信号をビデオデコーダ１０５からの映像データに重畳して導出するものであり、ＯＳＤ生成部１０８は、後述するブラウザ画面情報も生成する。
【００２５】
さらに、ＴＳデコーダ１０４から出力される音声データは、オーディオデコーダ１０９において、復号されて非圧縮のデジタル音声信号に変換され、音声出力部１１０から音声として出力される。
【００２６】
テレビジョン受信器１００全体の機能調整、動作切換え及び設定等を行なうために、ＭＰＵ（Micro Processing Unit）で構成される制御部１１１が設けられている。制御部１１１には、ブラウザを含む各種処理プログラムが格納されたＲＯＭ（Read Only Memory）１１２と、ワークメモリとしてのＤ−ＲＡＭ（Dynamic Random Access Memory）１１３と、データ保存用のＦＬＡＳＨ−ＲＯＭ１１４が接続されている。
【００２７】
さらに、制御部１１１には、リモコン受光部１１５と、操作入力部１１６が接続されておりリモコン受光部１１５は、リモートコントローラ１１７からの赤外線信号を受光して、これを制御部１１１に送る。また、入力部１１６は、テレビジョン受信器１００の例えば、図示しない筐体前面パネルに設けられた複数の操作スイッチで構成される。
【００２８】
リモートコントローラ１１７及び入力部１１６をユーザが操作することで、制御部１１１が、テレビジョン受信器１００の各部の調整、動作切換え及び設定を行なう。例えば、チャンネルの選局、データ放送の立ち上げ受信等である。
【００２９】
図２は、リモートコントローラ１１７の具体的キー配置の例を示すもので、数字キー２０１と、カーソルキー２０２、決定キー２０３、データキー２０４、終了キー２０５、戻るキー２０６と監視選択キー２０７等を有する。
【００３０】
数字キー２０１は、チャンネル番号等の数字データを入力するためのものであり、カーソルキー２０２は、ＯＳＤ信号生成部１０８で生成され、表示部１０８で表示されるＧＵＩ（Graphical User Interface）形式の表示画面から所望の項目を選択するために使用され、決定キー２０３は、カーソルキー２０２によってカーソルが移動された項目を登録するために使用される。また、データキー２０４はデータ放送の視聴を立ち上げるためのキーである。終了キー２０５は、例えばＧＵＩ形式の表示画面による項目登録処理を終了させるために使用され、戻るキ−２０６は、例えば、階層的なＯＳＤ表示画面の階層を戻すため等に利用される。監視選択キー２０７は、後述する監視したいデータを選択する処理を起動するために用いられる。
【００３１】
データ放送は、ＢＭＬ（Broadcast Markup Language）で記述された文字、図形等のファイルと、画像ファイルや音声ファイルで構成されており、これらファイル群がカルーセル伝送方式によって、適宜更新されつつ連続的に送信される。したがって、データの取得をいつ開始しても、全データが送信される周期に相当する期間、受信すれば全てのデータを取得することができるものである。取得したデータを表示部１０７で画面表示させるためにＢＭＬブラウザが用意されている。
【００３２】
今、ユーザが、リモートコントローラ１１７のデータキー２０４を操作したとすると、制御部１１１は、リモコン受光部１１５を介してそのリモコン信号を受けて、ＴＳデコーダ１０４に制御信号を送って、データ放送のデータパケットを受け取ると共に、ＢＭＬブラウザを起動する。
【００３３】
ＢＭＬブラウザは、ＴＳデコーダ１０４から受け取ったデータを例えばＤ−ＲＡＭ１１３に一旦保存し、ＢＭＬブラウザを起動して表示画面を構築し、ＯＳＤ信号生成部１０８を介して、重畳部１０６に導出する。重畳部１０６でＯＳＤ信号生成部１０８からのデータ放送受信画面表示情報を、ビデオデコーダ１０５からのテレビジョン番組映像に重畳して表示部１０７に送って表示させる。
【００３４】
以上説明したようにして、データ放送を受信し、その情報を閲覧することができるが、本発明では、そのデータ放送で送られる情報の中から、ユーザが得たいと希望するデータ（コンテンツ）を特定して、予めそれを登録しておくことで、その情報を監視し、内容が更新された場合にそれをユーザに知らしむるように構成したものである。
【００３５】
なお、図１に示すテレビジョン受信器１００では、チューナ１０３が１個設けられているだけであるため、データを取得するデータ放送は、視聴中のテレビジョン番組と同一ＴＳで送られるものが対象となるが、複数のチューナを装備すれば、視聴中のテレビ番組とは異なるＴＳで送られるデータ放送のデータを監視の対象と取得することも可能である。
【００３６】
図３は、データ放送画面の提示例であり、プロ野球の試合経過が表示されている。すなわち、表示部１０７の表示画面３０１には、その右上１／４程度の領域に視聴中のテレビジョン番組３０２が表示され、画面左半分に、プロ野球試合速報３０３として、プロ野球の対戦カードと得点経過が表示され、画面右下１／４程度の表示領域に、プロ野球試合速報３０３の表示内容に対する補足説明３０４、あるいはコメントが表示されている。
【００３７】
図３で表示されるデータは、試合進行と連動して自動的に更新されるものであり、ユーザはテレビジョン番組３０２を視聴しつつ、試合経過を知りたいと思っていると想定する。
【００３８】
そこで、ユーザは例えばリモートコントローラ１１７の監視選択キー２０７を操作する。制御部１１１は、リモコン受光部１１５を介してリモコン信号を受けて、選択モードを設定し、図４に示すように、表示画面４０１の補足説明領域３０４に、「更新チェックする試合を選択して下さい」の表示４０２を行なうと共に、対戦カードの表示領域にカーソル４０３を表示させる。
【００３９】
カーソル４０３は、リモートコントローラ１１７のカーソルキー２０２を操作することで、表示されている対戦カード間を移動し、監視したい対戦カードにカーソル４０３を移動させてから、決定キー２０３を操作することで、その対戦カードのデータを監視するために設定登録が実行される。
【００４０】
ここにおいて、監視対象として設定登録可能なデータは、ＢＭＬ文書で定義されているｄｉｖ要素及びｐ要素である。
【００４１】
制御部１１１は、ユーザの設定登録処理を受けて、選択された部分がＢＭＬ文書を構成する要素のいずれに対応しているかを判断し、ＢＭＬファイル名と、そのファイル内で選択箇所に対応する要素のｉｄ属性、さらに監視したい内容を含む情報（文字列等）を監視設定情報として、ＦＬＡＳＨ−ＲＯＭ１１４に保存する。
【００４２】
ＦＬＡＳＨ−ＲＯＭ１１４に保存される監視設定データの例を図５に示す。ＢＭＬファイル名（ｘｘｘ．ｂｍｌ）５０１とｉｄ属性５０２と比較用のデータ（文字列）５０３で構成されている。
【００４３】
なお、ユーザに選択された要素にｉｄ属性が与えられていなかった場合には、文書内での要素の出現順をナンバリングしておいて、対象要素のインデックス値をｉｄ属性値の代わりに用いることになる。すなわち、図６に示すように、ファイル名（ｘｘｘ．ｘｘｘ）６０１、ｉｎｄｅｘ値６０２と比較用のデータ（文字列）６０３で構成されることになる。
【００４４】
実際には、ＢＭＬから参照されるバイナリデータ等に、注目すべき情報（試合経過や点数等を表す文字列等）が含まれる場合があるので、要素が参照しているデータがあれば、そのファイルを監視対象とする。その場合は、バイナリテーブル自体のファイル名と、選択時に参照していたバイナリテーブルのインデックス値、選択時のインデッククス値で参照されるバイナリデータの内容を監視設定データとして保存する。
【００４５】
図７は、ブラウザが提示しているＢＭＬの要素の構造を示すツリーであり、ｂｏｄｙ７０１から、要素＜ｐ＞プロ野球試合速報７０２と、ｄｉｖ７０３〜７０６が派生し、さらに各ｄｉｖ７０３〜７０６にｉｄ属性を持つｐ要素７０７〜７１０が派生している。
【００４６】
例えば、図４で選択された箇所は、図７ではｉｄ属性に「ｇａｍｅ２」を持つｐ要素７０８に対応しており、制御部１１１は、図８に示すようなＢＭＬファイル名８０１と、この要素のｉｄ属性８０２、要素に含まれる文字列（ここでは「神２−０巨」という文字列）８０３を、監視設定データとしてＨＬＡＳＨ−ＲＯＭ１１４に保存することになる。
【００４７】
以上のように、監視設定データを保存しておくことによって、制御部１１１は、ＴＳデコーダ１０４を駆使して、送信されてくるデータ放送のデータ中に監視対象ファイルが到着するのを待つ。監視対象のファイルが受信されたら、ＢＭＬの構造解析を行なって、監視設定データとして保存されているｉｄ属性値と同じｉｄ属性値を持つ要素を探索する。
【００４８】
監視設定データと同じｉｄ属性値を持つ要素が検出されたら、監視設定データの文字列と、その要素に含まれる文字列とを比較し、同じ文字列であるなら、更新がされていないと判断し、再び監視対象ファイルが到着するのを待つ。
【００４９】
文字列が異なる内容である場合には、制御部１１１は、データが更新されたものとして、ＯＳＤ信号生成部１０８によってメッセージ情報を生成し、重畳部１０６でテレビジョン番組の映像に重畳してデータ放送のデータが更新されたことを表示部１０７に表示させる。
【００５０】
表示部１０７の表示例を図９に示す。図に示すようにテレビジョン番組の映像が表示されている画面９０１の左上隅に「データ放送の内容が更新されました」とのメッセージ９０２が表示される。さらに、処理を継続する場合には、ＦＬＡＳＨ−ＲＯＭ１１４に記憶されている監視設定データの文字列を、データ放送から得られた更新された文字列に変更する。また、処理を終了する場合には、例えばリモートコントローラ１１７の終了キー２０５を操作する。
【００５１】
図１０は、監視したいデータを設定する処理を示すフローチャートである。ステップＳ１００１で開始され、ステップＳ１００２で例えばリモートコントローラ１１７のデータキー２０４を操作して、データ放送閲覧画面を立ち上げる。
【００５２】
次いでステップＳ１００３で、リモートコントローラ１１７の監視選択キー２０７を操作して選択モードを設定する。次に、ステップＳ１００４で、リモートコントローラ１１７のカーソルキー２０２と決定キー２０３を使って、データ放送閲覧画面から監視対象データを選択する。
【００５３】
次いで、ステップＳ１００５で、選択されたデータを含むＢＭＬファイル名、選択されたデータのｉｄ属性及び比較用データを保存する。次に、ステップＳ１００６で他のデータを設定登録するか否かの判定がなされ、他のデータを設定登録する場合には、ステップＳ１００４に戻って他の監視データの選択処理を行なう。
【００５４】
他のデータを設定登録しない場合は、ステップＳ１００７で終了キー２０５を操作して選択モードを解除し、ステップＳ１００８で処理を終了する。
【００５５】
図１１は、そのように設定された監視対象データを実際に監視する処理を示すフローチャートである。ステップＳ１１０１で開始され、ステップＳ１１０２でデータ放送を受信し、ステップＳ１１０３で、監視対象として設定されたデータのＢＭＬファイルと同じ名前のファイルが到来したか否かの判定が行なわれる。同じ名前のファイルが到来しない場合は、ステップＳ１１０２に戻ってデータ放送の受信を継続する。
【００５６】
ステップＳ１１０３で同じ名前のファイルが到来したと判定された場合には、ステップＳ１１０４で受信したＢＭＬファイルの構造解析を行い、次いでステップＳ１１０５で解析した内容を監視設定データと比較する。
【００５７】
ステップＳ１１０６で、受信したＢＭＬファイルに監視設定データと同じｉｄを持つ要素が存在するか否かの判定がなされ、同じｉｄを持つ要素が存在しなければ、ステップＳ１１０２に戻ってデータ放送の受信を継続する。
【００５８】
ステップＳ１１０６で同じｉｄを持つ要素が存在すると判定された場合には、ステップＳ１１０７で、受信したＢＭＬファイルの要素に含まれる文字列と、監視設定データの文字列を比較する。
【００５９】
ステップＳ１１０８で、比較した文字列が同じ内容のままであると判定されたら、データの更新がないものとして、ステップＳ１１０２に戻ってデータ放送の受信を継続する。
【００６０】
ステップＳ１１０８で文字列の内容が異なっていると判定された場合には、ステップＳ１１０９でデータ放送の内容が更新されたことを通知する。次いで、ステップＳ１１１０で終了キーが操作されたか否かの判定が行なわれ、操作されないと判定された場合には、ステップＳ１１１１で監視設定データの文字列を更新された文字列に変更して、ステップＳ１１０２に戻る。
【００６１】
ステップＳ１１１０で終了キーが操作されたと判定された場合には、ステップＳ１１１２で処理を終了する。
【００６２】
以上のように本発明の放送受信装置によれば、データ放送で放送されるデータの中から、ユーザが指定したデータを予め登録しておくことにより、そのデータが更新されたか否かを常時監視し、更新された場合に、ユーザにその旨を通知するようにしたので、ユーザは、更新されたデータを確実に確認することができるものである。
【００６３】
なお、本発明の選局装置は前述の実施の形態に限定されるものではなく、その趣旨を逸脱しない範囲で種々実施可能である。例えば、データ放送の内容が更新されたことは、文章を画面表示させてユーザに通知する方法の他にも、インジケータランプを点滅させたり、音で通知したりすることも可能である。
【図面の簡単な説明】
【００６４】
【図１】本発明に係る放送受信装置を搭載したテレビジョン受信器の回路ブロック図。
【図２】図１に示すテレビジョン受信器に適用されるリモートコントローラのキー配置を説明するための図。
【図３】本発明の放送受信装置の動作を説明するための図。
【図４】本発明の放送受信装置の動作を説明するための図。
【図５】本発明の放送受信装置における、監視設定データのデータ構成の一例を示す図。
【図６】本発明の放送受信装置における、監視設定データのデータ構成の他の例を示す図。
【図７】本発明の放送受信装置の動作を説明するための図。
【図８】ＢＭＬファイルのデータツリー構造の一例を示す図。
【図９】本発明の放送受信装置の動作を説明するための図。
【図１０】本発明の放送受信装置において、監視設定データを登録する処理を説明するためのフローチャート。
【図１１】本発明の放送受信装置において、データ放送の更新を監視する処理を説明するためのフローチャート。
【符号の説明】
【００６５】
１００…テレビジョン受信器
１０１…アンテナ
１０２…アンテナ入力端子
１０３…チューナ部
１０４…ＴＳデコーダ
１０５…ビデオデコーダ
１０６…重畳部
１０７…表示部
１０８… ＯＳＤ信号生成部
１０９…オーディオデコーダ
１１０…音声出力部
１１１…制御部
１１２…ＲＯＭ
１１３…Ｄ−ＲＡＭ
１１４…ＦＬＡＳＨ−ＲＯＭ
１１５…リモコン受光部
１１６…入力部
１１７…リモートコントローラ
２０２…カーソルキー
２０３…決定キー
２０４…データキー
２０５…終了キー
２０６…戻りキー
２０７…監視選択キー
【図１】
2005192007.tif 000003
【図２】
2005192007.tif 000004
【図３】
2005192007.tif 000005
【図４】
2005192007.tif 000006
【図５】
2005192007.tif 000007
【図６】
2005192007.tif 000008
【図７】
2005192007.tif 000009
【図８】
2005192007.tif 000010
【図９】
2005192007.tif 000011
【図１０】
2005192007.tif 000012
【図１１】
2005192007.tif 000013